(57)【要約】      （修正有）【課題】蓋の少なくとも一部が収納部に取り付けられた状態でペン等の被収納物の出し入れが可能であると共に、蓋を交換可能なペンケースを提供する。【解決手段】ペンケース１は、開口１１を有する収納部１０と、閉じることで前記開口１１を被覆可能な蓋２１、及び、該蓋２１に接続され且つ前記収納部１０に係止可能な係止部２２を有するカバー２０と、を備え、前記収納部１０は、前記係止部２２と係止可能な被係止部１２を有し、前記係止部２２は、前記被係止部１２に着脱可能に係止され、前記蓋２１は、前記係止部２２が前記被係止部１２に係止した状態で開閉可能である。【選択図】図２
2020028369.tif 000002
【特許請求の範囲】
【請求項１】
開口を有する収納部と、
閉じることで前記開口を被覆可能な蓋、及び、該蓋に接続され且つ前記収納部に係止可能な係止部を有するカバーと、を備え、
前記収納部は、前記係止部と係止可能な被係止部を有し、
前記係止部は、前記被係止部に着脱可能に係止され、
前記蓋は、前記係止部が前記被係止部に係止した状態で開閉可能である、ことを特徴とするペンケース。
【請求項２】
前記蓋と前記係止部とは、直線状の境界を挟んで並び、
前記係止部が前記被係止部に係止した状態で、前記蓋は、前記境界を回転中心として回動することにより開閉可能である、請求項１に記載のペンケース。
【請求項３】
前記開口は、前記収納部の一方側及び他方側にそれぞれ設けられ、
前記蓋は、閉じることで前記一方側に設けられた開口を被覆可能な第一の蓋と、閉じることで前記他方側に設けられた開口を被覆可能な第二の蓋とを含む、請求項２に記載のペンケース。
【発明の詳細な説明】
【技術分野】
【０００１】
本発明は、収納部と蓋とを備えたペンケースに関する。
【背景技術】
【０００２】
従来、蓋により収納部を覆うことができるペンケースが用いられている（例えば、特許文献１参照）。このペンケースは、上面に開口を有する収納部と、閉じることで開口を被覆可能な蓋とを備える。蓋は矩形状であり、蓋の一辺は収納部に接続されている。
【先行技術文献】
【特許文献】
【０００３】
【特許文献１】特開２０１６−２０９２１７号公報
【発明の概要】
【発明が解決しようとする課題】
【０００４】
ところで、蓋の少なくとも一部が収納部に接続された状態で開閉可能なペンケースにおいて、蓋が破損した場合や、ペンケースの外観に飽きた場合に、ペンケースの蓋を取り外して交換したいという要望があった。
【０００５】
本発明は、斯かる実情に鑑み、蓋の少なくとも一部が収納部に取り付けられた状態でペン等の被収納物の出し入れが可能であると共に、蓋を交換可能なペンケースを提供することを目的とする。
【課題を解決するための手段】
【０００６】
本発明にかかるペンケースは、開口を有する収納部と、閉じることで前記開口を被覆可能な蓋、及び、該蓋に接続され且つ前記収納部に係止可能な係止部を有するカバーと、を備え、前記収納部は、前記係止部と係止可能な被係止部を有し、前記係止部は、前記被係止部に着脱可能に係止され、前記蓋は、前記係止部が前記被係止部に係止した状態で開閉可能である、ことを特徴とする。
【０００７】
上記構成のペンケースによれば、係止部が被係止部に取り外し可能に係止されることで、蓋が収納部に対して着脱可能であるため、蓋の交換が可能であると共に、係止部が被係止部に係止された状態で蓋が開閉可能であるため、カバーが収納部に取り付けられた状態でもペン等の被収納物の出し入れが可能である。
【０００８】
前記ペンケースでは、前記蓋と前記係止部とは、直線状の境界を挟んで並び、前記係止部が前記被係止部に係止した状態で、前記蓋は、前記境界を回転中心として回動することにより開閉可能であることが好ましい。
【０００９】
上記構成のペンケースによれば、蓋が係止部との境界を回転中心として回動することにより、カバーを収納部に取り付けた状態でも蓋が開閉可能であるためペン等の被収納物の出し入れが可能である。
【００１０】
前記ペンケースでは、前記開口は、前記収納部の一方側及び他方側にそれぞれ設けられ、前記蓋は、閉じることで前記一方側に設けられた開口を被覆可能な第一の蓋と、閉じることで前記他方側に設けられた開口を被覆可能な第二の蓋とを含むことが好ましい。
【００１１】
上記構成のペンケースによれば、カバーを枠体に取り付けた状態でも、収納部の両側（一方側及び他方側）から収納部へのペン等の被収納物の出し入れが可能であるため、収納部へのペン等の被収納物の出し入れを容易に行うことができる。
【発明の効果】
【００１２】
本実施形態のペンケースによれば、蓋の少なくとも一部が収納部に取り付けられた状態でペン等の被収納物の出し入れが可能であると共に、蓋を交換可能なペンケースを提供することができる。
【図面の簡単な説明】
【００１３】
【図１】図１は、本発明の一実施形態に係るペンケースの斜視図である。
【図２】図２は、同実施形態に係るペンケースの分解斜視図である。
【図３】図３は、同実施形態に係るペンケースにおける収納部の平面図である。
【図４】図４は、同実施形態に係るペンケースにおける収納部の側面図である。
【図５】図５は、同実施形態に係るペンケースにおける収納部に設けられたホルダの拡大図である。
【図６】図６は、同実施形態に係るペンケースにおけるカバーの平面図である。
【図７】図７は、同実施形態に係るペンケースにおけるカバーのＶＩＩ−ＶＩＩ断面図である。
【図８】図８は、同実施形態に係るペンケースにおけるカバーの係止部の平面図である。
【図９】図９は、同実施形態に係るペンケースにおける係止部の側面図である。
【図１０】図１０は、同実施形態に係るペンケースにおける係止部のＸ−Ｘ断面図である。
【図１１】図１１は、同実施形態に係るペンケースにおける係止部位及び被係止部位を説明するための図である。
【図１２】図１２は、本発明の別の実施形態に係るペンケースにおける係止部位及び被係止部位を説明するための図である。
【図１３】図１３は、本発明の別の実施形態に係るペンケースにおける係止部位及び被係止部位を説明するための図である。
【図１４】図１４は、本発明の別の実施形態に係るペンケースにおける内側カバーを説明するための図である。
【発明を実施するための形態】
【００１４】
以下、本発明に係るペンケースの一実施形態について、図１〜図１１を参照しつつ説明する。本発明に係るペンケースは、ペン等の被収納物（ペンや鉛筆といった筆記具等）を収納する収納部を蓋により被覆可能なペンケースである。このペンケースでは、蓋に接続された係止部と、収納部の被係止部が取り外し可能に係止されるため、蓋を収納部から取り外して交換することができると共に、係止部が被係止部に係止された状態で蓋が開閉可能であるため、係止部が被係止部に係止した状態で蓋を開けてペン等の被収納物を収納部に出し入れすることができる。
【００１５】
例えば、図１〜図４に示すように、ペンケース１は、収納部１０と、カバー２０とを備える。収納部１０は、開口１１を有する（図２参照）。カバー２０は、閉じることで開口１１を被覆可能な蓋２１と、蓋２１に接続され且つ収納部１０に係止可能な係止部２２を有する。本実施形態のペンケース１は、カバー２０が収納部１０に取り付けられた取り付け状態において、長尺形状をしており、例えば、略直方体形状（角が丸まった直方体形状）をしている（図１参照）。
【００１６】
収納部１０は、開口１１に加えて、係止部２２と係止可能な被係止部１２を有する（図２及び図３参照）。本実施形態の収納部１０は、第一方向における一方側及び他方側（図２における上側及び下側）が解放された枠体１３と、枠体１３の内側に接続されると共に第一方向と直交或いは略直交する方向に広がる板状の本体１４とを含む。また、本実施形態の収納部１０は、閉じた状態の蓋２１を固定する収納部固定部１５、ペン等の被収納物を配置可能なホルダ１６、及び、鉛筆削り１７等を有する。
【００１７】
本実施形態の枠体１３の外周面は、収納部１０の長尺方向（第二方向）に延びる一対の面１３０、１３１と、収納部１０の短手方向（第三方向）に延びる一対の面１３２、１３３とを含む。第二方向に延びる一対の面１３０、１３１のうち一方の面１３０は、この面１３０の第二方向における中央部で凹んでいる。また、第二方向に延びる一対の面１３０、１３１のうち他方の面１３１は、この面１３１の第二方向において等間隔をあけて三カ所で凹んでいる。第三方向に延びる一対の面１３２、１３３は、いずれも平坦である。
【００１８】
本実施形態の本体１４は、開口１１（枠体１３の内部の空間）を、第一方向に区切るように、枠体１３の内周面の第一方向における略中央の位置に取り付けられている。具体的に、本体１４は、第一方向における一方側に位置する空間と、第一方向における他方側に位置する空間とに区切る。尚、枠体１３及び本体１４は、例えば、樹脂により一体形成されている。
【００１９】
本実施形態の開口１１は、第一方向における一方側に設けられた第一の開口１１１と、第一方向における他方側に設けられた第二の開口１１２とを含む。収納部固定部１５は、枠体１３の第二方向に延びる一対の面１３０、１３１のうち一方の面１３０の凹んだ部位の外側に設けられている。換言すると、収納部固定部１５は、一方の面１３０の外側の第二方向における中央に配置されている。具体的に、収納部固定部１５は、磁石を含んでいる。
【００２０】
ホルダ１６及び鉛筆削り１７は、本体１４の第一方向における一方側の面に配置されている。ホルダ１６は、ペン等の被収納物を配置可能なホルダ本体１６０と、ホルダ本体１６０と本体１４とを接続するホルダ接続部１６１とを含む（図３参照）。ホルダ接続部１６１は、例えば、第三方向において延びる長尺状をしている。また、ホルダ接続部１６１は、ホルダ接続部１６１を回転中心として回動可能とすることで、ホルダ本体１６０の姿勢を、本体１４に平行な姿勢（本体１４の広がる方向と同じ方向に広がる姿勢）から本体１４と直交する姿勢（第一方向に延びる姿勢）まで選択的に変更させた状態で支持可能である。ホルダ本体１６０は、図５に示すように、ペン等の被収納物の幅（ペン等の被収納物の短手方向における寸法）にあわせた幅を有するホルダ凹部１６２と、ホルダ凹部１６２に配置されたペン等の被収納物を被覆することで固定するホルダ被覆部１６３とを含む。ホルダ被覆部１６３は、例えば、第二方向において延びる円筒状である。
【００２１】
本実施形態の被係止部１２は、枠体１３の第二方向に延びる一対の面１３０、１３１のうち他方の面１３１に設けられた凹んだ部位であり、三つ設けられている。（図２〜図４参照）。被係止部１２は、いずれも同じ構成を有する。本実施形態の被係止部１２は、図５に示すように、枠体１３の他方の面１３１のうち内側に凹んだ当接面１２０と、当接面１２０の中央に設けられ且つ外側に突出した被係止部位１２１と、当接面１２０と連続する第一傾斜面１２２を含む。
【００２２】
被係止部位１２１は、各被係止部１２に一つずつ設けられることにより、合計三つ設けられている。また、被係止部位１２１は、例えば、第三方向において外側に突出した凸部である。具体的に、被係止部位１２１は、第三方向から見ると、円形状や多角形状を有する（図４参照）。被係止部位１２１の表面は、図１１に示すように、曲面である。第一傾斜面１２２は、当接面１２０の第二方向における両側に一対設けられている。一対の第一傾斜面１２２は、第三方向において内側に（当接面１２０に）近づくほど互いに遠ざかるように傾斜している。また、一対の第一傾斜面１２２は、枠体１３の第一方向における一端縁から他端縁まで延びている（図４参照）。当接面１２０も、枠体１３の第一方向における一端縁から他端縁まで延びている。
【００２３】
本実施形態のカバー２０において、蓋２１は、閉じることで一方側（例えば、第一方向における一方側）に設けられた第一の開口１１１を被覆可能な第一の蓋２１１と、閉じることで他方側（例えば、第一方向における他方側）に設けられた第二の開口１１２を被覆可能な第二の蓋２１２とを含む（図２、図６、及び図７参照）。また、本実施形態のカバー２０は、板状の部材である。さらに、本実施形態のカバー２０は、一方側の面を連続して被覆する第一被覆部２３と、第一被覆部２３と反対側において他方側の面を連続して被覆する第二被覆部２４と、第一被覆部２３及び第二被覆部２４の間に配置されるクッション部２５及びクッション部２５よりも硬い基材部２６とを有する（図７参照）。また、このカバー２０には、凹んだ部位が二カ所設けられている。このカバー２０における一方の凹んだ部位よりも外側に位置する部位が第一の蓋２１１であり、このカバー２０における他方の凹んだ部位よりも外側に位置する部位が第二の蓋２１２であり、第一の蓋２１１及び第二の蓋２１２の間に設けられた部位が係止部２２である。尚、本実施形態のカバー２０は、第一被覆部２３や第二被覆部２４の外観上のデザイン（例えば、色や模様）を除いては、カバー２０の短手方向における中央を通り且つカバー２０の長尺方向に延びる中心軸Ｃを軸として線対称な構成を有する（図６参照）。
【００２４】
係止部２２は、被係止部１２に取り外し可能に係止する。本実施形態の係止部２２は、略矩形状である（図２及び図６参照）。また、本実施形態の係止部２２は、第一の蓋２１１や第二の蓋２１２と接続される板状の接続部２２０と、接続部２２０からカバー２０の厚み方向において突出した基台部２２１と、基台部２２１の突出側に位置する面に形成された凹部である係止部位２２２とを有する。
【００２５】
接続部２２０は、略矩形の板状である（図６参照）。また、接続部２２０は、その短手方向における一方側において直線状の境界α１を挟んで第一の蓋２１１と並ぶと共に、その短手方向における他方側において直線状の境界α２を挟んで第二の蓋２１２と並んでいる。
【００２６】
基台部２２１は、各被係止部１２にそれぞれ対応して、合計三つ設けられている。基台部２２１の形状は、当接面１２０及び第一傾斜面１２２の形状に対応している（図１１参照）。具体的に、基台部２２１の外周面は、接続部２２０の短手方向に延びる一対の第二傾斜面２２１０と、接続部２２０の長尺方向に延びる一対の平坦面２２１１とで構成される（図７〜図１０参照）。平坦面２２１１は、接続部２２０の表面に垂直な方向において平坦に延びている（図７参照）。第二傾斜面２２１０は、接続部２２０の表面に垂直な方向に対して傾斜している（図９参照）。具体的に、第二傾斜面２２１０は、第一傾斜面１２２と同様に傾斜している。そのため、基台部２２１は、当接面１２０及び第一傾斜面１２２で囲まれた空間に、差し込み可能である。尚、基台部２２１は、内部に空洞を有する。また、基台部２２１の高さ（接続部２２０の表面から基台部２２１の表面までの高さ）は、例えば、被係止部１２の深さ（面１３１から当接面１２０までの深さ）と略同じ、或いは、被係止部１２の深さよりも大きい。
【００２７】
係止部位２２２は、各基台部２２１に一つずつ設けられているため、合計三つ設けられている。また、係止部位２２２は、係止部２２の一方の面に形成されている。具体的に、係止部位２２２は、基台部２２１の突出側に位置する面の中央に形成されている。係止部位２２２の形状は、被係止部位１２１が係合可能（例えば、凹凸嵌合可能）な形状をしている。より具体的に、係止部位２２２は、被係止部位１２１の高さと略同じ深さで凹んでいる（図１１参照）。また、被係止部位２２２は、第三方向から見ると、被係止部位１２１の形状に対応した多角形状や円形状を有する。さらに、係止部位２２２の表面は、被係止部位１２１の表面に対応した面であり、例えば、曲面である。
【００２８】
尚、上述のように、収納部１０の被係止部１２に設けられた当接面１２０や第一傾斜面１２２が枠体１３の第一方向における一端縁から他端縁まで延びていると共に、当接面１２０に被係止部位１２１が形成され、カバー２０の係止部２２に設けられた第二傾斜面２２１０や係止部位２２２が、第一傾斜面１２２や被係止部位１２１に対応した形状をしているため、カバー２０の係止部２２は、第一方向における一方側から他方側、或いは、第一方向における他方側から一方側に、被係止部１２に対してスライドさせて差し込まれることで、被係止部１２に係止される。
【００２９】
第一の蓋２１１は、第一の開口１１１を被覆可能な蓋本体２１３と、蓋本体２１３に接続され且つ第一の蓋２１１を閉じた状態で蓋本体２１３を固定する蓋固定部２１４とを含む（図６参照）。第二の蓋２１２は、第二の開口１１２を被覆可能な蓋本体２１３と、蓋本体２１３に接続され且つ第二の蓋２１２を閉じた状態で蓋本体２１３を固定する蓋固定部２１４とを含む。第一の蓋２１１や第二の蓋２１２は、略矩形状である。また、第一の蓋２１１や第二の蓋２１２は、それぞれの短手方向における内側に位置する端縁において、係止部２２に接続されている。さらに、第一の蓋２１１や第二の蓋２１２は、取り付け状態では、それぞれの短手方向における外側に位置する端縁において、収納部１０の短手方向側に位置する面（例えば、枠体１３の被係止部１２を介して、枠体１３の第二方向に延びる一対の面１３０、１３１のうち一方の面１３０）に接続される。
【００３０】
第一の蓋２１１及び第二の蓋２１２は、被係止部１２が係止部２２に係止した状態（取り付け状態）において、開閉可能である。例えば、取り付け状態において、第一の蓋２１１が第一の開口１１１に対して開閉可能であると共に、第二の蓋２１２は第二の開口１１２に対して開閉可能であることにより、第一方向における一方側や他方側（図２における上側や下側）から収納部１０へのペン等の被収納物の出し入れが可能である（図２参照）。具体的に、第一の蓋２１１は、取り付け状態において、境界α１を回転中心として回動することにより開閉可能である。同様に、第二の蓋２１２は、取り付け状態において境界α２を回転中心として回転することにより開閉可能である。より具体的に、第一の蓋２１１や第二の蓋２１２は、取り付け状態において、境界α１、α２を回転中心として回転することにより、収納部１０の短手方向の一方側から開閉する。尚、本実施形態のカバー２０は、上述のように、中心軸Ｃを軸として線対称な構成であるため、第一の蓋２１１が第二の開口１１２を被覆すると共に第二の蓋２１２が第一の開口１１１を被覆するように、収納部１０に取り付け可能である。
【００３１】
また、第一の蓋２１１や第二の蓋２１２は、取り付け状態において、収納部１０の短手方向の他方側に固定されている。具体的に、第一の蓋２１１や第二の蓋２１２は、取り付け状態において、蓋固定部２１４により、枠体１３の第二方向に延びる一対の面１３０、１３１のうち他方の面１３１に固定されている。
【００３２】
蓋固定部２１４は、例えば、第一の蓋２１１や第二の蓋２１２の係止部２２と接続される端縁と反対側の端縁の長尺方向における中央に配置されている。これにより、蓋固定部２１４は、取り付け状態では、収納部１０の短手方向の他方側（この短手方向における開閉位置と反対側）において、第一の蓋２１１や第二の蓋２１２を固定可能である。具体的に、蓋固定部２１４は、磁石を含んでいる。
【００３３】
以上のペンケース１によれば、カバー２０の係止部２２の係止部位２２２が、収納部１０の被係止部１２の被係止部位１２１に取り外し可能に係止されることで、第一の蓋２１１や第二の蓋２１２が収納部１０に対して着脱可能である。そのため、第一の蓋２１１や第二の蓋２１２の交換が可能である。しかも、カバー２０が収納部１０に取り付けられた状態（取り付け状態）でも、第一の蓋２１１や第二の蓋２１２の開閉が可能であるため、収納部１０へのペン等の被収納物の出し入れが可能である。
【００３４】
また、本実施形態のペンケース１によれば、第一の蓋２１１や第二の蓋２１２が係止部２２との境界α１、α２を回転中心として回動することにより、カバー２０を収納部１０に取り付けた状態でも、収納部１０へのペン等の被収納物の出し入れが可能である。
【００３５】
さらに、本実施形態のペンケース１によれば、取り付け状態でも、第一の蓋２１１や第二の蓋２１２が収納部１０の第一方向における一方側や他方側に設けられた第一の開口１１１や第二の開口１１２に対して開閉可能であることにより、第一方向における一方側や他方側から収納部１０へのペン等の被収納物の出し入れが可能であるため、収納部１０へのペン等の被収納物の出し入れを容易に行うことができる。しかも、本実施形態のカバー２０は、第一被覆部２３や第二被覆部２４の外観上のデザイン（例えば、色や模様）を除いては、中心軸Ｃを軸として線対称な構成を有するため、ペンケース１では、第一の蓋２１１が第二の開口１１２を被覆すると共に第二の蓋２１２が第一の開口１１１を被覆するように、カバー２０を取り付けることが可能である。そのため、一枚のカバー２０によりペンケース１のデザインを変更することができる。
【００３６】
本実施形態のペンケース１によれば、カバー２０の係止部２２を、収納部１０の第一方向における一方側から他方側、或いは、第一方向における他方側から一方側にスライドさせて被係止部１２に取り付けることができる。換言すると、カバー２０の係止部２２は、収納部１０の第一方向における一方側及び他方側のいずれからでも、収納部１０の被係止部１２に取り付け可能である。
【００３７】
また、本実施形態のペンケース１によれば、係止部２２の基台部２２１は、内部に空洞を有するため、中実である構成と比べて、カバー２０の収納部１０に対する取り付け或いは取り外しの際に、基台部２２１にかかる力を逃すことができる。これにより、カバー２０の取り付けや取り外しを繰り返しても、カバー２０に設けられた基台部２２１が破損しにくい。
【００３８】
さらに、本実施形態のペンケース１によれば、被係止部位１２１の表面や係止部位２２２の表面は、いずれも曲面であるため、これらの表面が角を有する構成と比べて、カバー２０の収納部１０に対する取り付け或いは取り外しを滑らかに行うことができる。
【００３９】
尚、本発明のペンケースは、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００４０】
例えば、係止を実現する構成は、凹部である係止部位２２２及びこれに対応する凸部である被係止部位１２１であったが（図１１参照）、一般的に公知な係止を実現する構成のいずれであってもよい。具体的には、図１２に示すように、係止部位２２２が一対のスナップボタンの一方であり被係止部位１２１が一対のスナップボタンの他方であってもよい。また、図１３に示すように、係止部位２２２が一対の面ファスナの一方であり被係止部位１２１が一対の面ファスナの他方であってもよい。さらに、係止部位２２２及び被係止部位１２１は、いずれも磁石であってもよい。
【００４１】
上記実施形態の係止部位２２２は、基台部２２１の突出側に位置する面に形成されていたが、接続部２２０の表面に形成されていてもよい。また、係止部位２２２や被係止部位１２１の個数は三つに限らず、一つ、二つ、四つ以上の複数であってもよい。
【００４２】
上記実施形態の蓋２１は、係止部位２２２を有する係止部２２に接続されていたが、係止部位２２２に直接接続されていてもよい。例えば、蓋２１にスナップボタンの一方や面ファスナの一方が接続され、収納部１０にスナップボタンの他方や面ファスナの他方が設けられていてもよい。また、蓋２１は一つの開口１１を被覆可能であったが、複数の蓋２１が一つの開口１１を被覆可能であってもよい。換言すると、第一の蓋２１１や第二の蓋２１２がそれぞれ複数に分割されていてもよい。このような場合であっても、係止部２２が被係止部１２に係止した状態で、蓋２１が収納部１０に対して着脱可能であるため、蓋２１の交換が可能であり、カバー２０が収納部１０に取り付けられた状態（取り付け状態）でも、蓋２１の開閉が可能であるため、収納部１０へのペン等の被収納物の出し入れが可能である。
【００４３】
また、上記実施形態の係止部位２２２は、係止部２２の一方の面に形成されていたが、係止部２２の両方の面に形成されていてもよい。この場合、一方の面に形成された係止部位２２２を被係止部１２に取り付けた状態から、他方の面に形成された係止部位２２２を被係止部１２に取り付けた状態に変更することで、ペンケース１の外観を変更することができる。換言すると、カバー２０をリバーシブルで使用することができ、一枚のカバー２０によりペンケース１のデザインを変更することができる。
【００４４】
上記実施形態のカバー２０では、第一の蓋２１１や第二の蓋２１２は、接続部２２０に対して、その短手方向における一方側や他方側において直線状の境界α１、α２を挟んで並んでいたが、接続部２２０に対して、その長手方向における一方側や他方側において直線状の境界を挟んで並んでいてもよい。
【００４５】
また、上記実施形態のカバー２０は、二つの蓋２１１、２１２を含んでいたが、一つの蓋を含んでもよいし、三つ以上の蓋を含んでもよい。カバー２０が一つの蓋２１１と係止部２２とで構成される場合、収納部１０はこの蓋２１１により被覆可能な開口１１１を一つ有してもよい。また、この場合、本体１４は、開口１１（枠体１３の内部の空間）とその外側の空間とを区切るように、枠体１３の内周面の第一方向における端縁に取り付けられることで、開口１１の解放側と反対側において収納部１０の底を構成してもよい。
【００４６】
第一の蓋２１１や第二の蓋２１２は、取り付け状態において、収納部１０の短手方向側から開閉していたが、収納部１０の長手方向側から開閉してもよい。また、第一の蓋２１１や第二の蓋２１２は、取り付け状態において、境界α１、α２を回転中心として回転することにより、収納部１０の短手方向の一方側から開閉すると共に、収納部１０の短手方向の他方側において固定されていたが、収納部１０の短手方向における一方側に固定された状態において他方側から開閉したり、他方側に固定された状態において一方側から開閉したりしてもよい。具体的に、第一の蓋２１１の短手方向の両側の端縁に磁石が設けられ、収納部１０の短手方向における両側の端縁にも磁石が設けられている場合、第一の蓋２１１は、収納部１０の短手方向における一方側に固定した状態において他方側から開閉したり、収納部１０の短手方向における他方側に固定した状態において一方側から開閉したりすることができる。
【００４７】
上記実施形態の収納部１０では、枠体１３の外周面における面１３１は、周囲と比べて凹んだ部位を有していたが、全体として平坦な面であってもよい。この場合、この平坦な面に凸部である被係止部位１２１が形成され、被係止部位１２１が凹部である係止部位２２２に圧入されることで、カバー２０が収納部１０に取り付けられてもよい。また、収納部１０は、枠体１３と、板状の本体１４とを含んでいたが、本体１４を含んでいなくてもよい。
【００４８】
上記実施形態の収納部固定部１５や蓋固定部２１４は磁石を含むことで互いに固定可能であったが、スナップボタンや面ファスナ等により互いに固定可能であってもよい。
【００４９】
また、カバーは、複数の部材で構成されていてもよい。例えば、収納部１０には、カバー２０の内側に、第一の開口１１１の少なくとも一部、及び、第二の開口１１２の少なくとも一部のうち少なくとも一方を閉塞可能な内側カバーが設けられていてもよい。このとき、カバー２０（外側カバー）及び内側カバーのうちいずれか一方が係止部を有していればよい。具体的に、カバー２０（外側カバー）が収納部１０の三つの被係止部１２のうち二つの被係止部１２と係止可能な係止部２２を有し、内側カバーが三つの被係止部１２のうち残り一つの被係止部１２と係止可能な係止部２２を有していてもよい。この場合、カバー２０と内側カバーとは、内側カバーの外側に位置する面に設けられた被係止部と、カバー２０の内側に設けられた係止部とにより係止可能であってもよい。
【００５０】
さらに、例えば、図１４に示すように、カバー２０の内側に設けられる内側カバー１８は、第一の開口１１１及び第二の開口１１２の両方を閉塞可能であってもよい。具体的に、カバー１８は、第一の開口１１１を閉塞可能な第一閉塞部１８１と、第二の開口１１２を閉塞可能な第二閉塞部１８２と、第一閉塞部１８１及び第二閉塞部１８２を接続する接続部１８３と、第一閉塞部１８１や第二閉塞部１８２をそれぞれ収納部固定部１５に固定可能な内部固定部１８４と、を備えてもよい。第一閉塞部１８１や第二閉塞部１８２は、例えば、第一の蓋２１１や第二の蓋２１２と同様に開閉可能である。具体的に、第一閉塞部１８１は、取り付け状態において、境界α３を回転中心として回動することにより開閉可能である。同様に、第二閉塞部１８２は、取り付け状態において境界α４を回転中心として回転することにより開閉可能である。より具体的に、第一閉塞部１８１や第二閉塞部１８２は、取り付け状態において、境界α３、α４を回転中心として回転することにより、収納部１０の短手方向の一方側から開閉する。接続部１８３には、取付状態において、基台部２２１が挿通可能な貫通孔１８３０が設けられていてもよい。この貫通孔１８３０は、複数の基台部２２１（例えば、三つの基台部２２１）の全てを一括して挿通可能な連続した形状であってもよい。内部固定部１８４は、例えば、金属製である。この構成であれば、第一の開口１１１や第二の開口１１２を内側カバー１８により閉塞したまま、カバー２０を収納部１０に対して着脱することができるため、この着脱の際にペンケース１を傾けたりしても被収納物が収納部１０から落ちにくいため、カバー２０の着脱を容易に行うことができる。
【符号の説明】
【００５１】
１…ペンケース、１０…収納部、１１…開口、１１１…第一の開口、１１２…第二の開口、１２…被係止部、１２０…当接面、１２１…被係止部位、１２２…第一傾斜面、１３…枠体、１４…本体、１５…収納部固定部、１６…ホルダ、１６０…ホルダ本体、１６１…ホルダ接続部、１６２…ホルダ凹部、１６３…ホルダ被覆部、１７…鉛筆削り、１８…内側カバー、１８１…第一閉塞部、１８２…第二閉塞部、１８３…接続部、１８３０…貫通孔、１８４…内部固定部、２０…カバー、２１…蓋、２１１…第一の蓋、２１２…第二の蓋、２１３…蓋本体、２１４…蓋固定部、２２…係止部、２２０…接続部、２２１…基台部、２２１０…第二傾斜面、２２１１…平坦面、２２２…係止部位、２３…第一被覆部、２４…第二被覆部、２５…クッション部、２６…基材部、α１，α２，α３，α４…境界、Ｃ…中心軸
【図１】
2020028369.tif 000003
【図２】
2020028369.tif 000004
【図３】
2020028369.tif 000005
【図４】
2020028369.tif 000006
【図５】
2020028369.tif 000007
【図６】
2020028369.tif 000008
【図７】
2020028369.tif 000009
【図８】
2020028369.tif 000010
【図９】
2020028369.tif 000011
【図１０】
2020028369.tif 000012
【図１１】
2020028369.tif 000013
【図１２】
2020028369.tif 000014
【図１３】
2020028369.tif 000015
【図１４】
2020028369.tif 000016
【手続補正書】
【提出日】令和1年10月3日(2019.10.3)
【手続補正１】
【補正対象書類名】特許請求の範囲
【補正対象項目名】全文
【補正方法】変更
【補正の内容】
【特許請求の範囲】
【請求項１】
第一方向における一方側に設けられた開口及び該開口を規定する枠体を有する収納部と、
閉じることで前記開口を被覆可能な蓋、及び、該蓋に接続され且つ前記収納部に係止可能な係止部を有するカバーと、を備え、
前記収納部は、前記係止部と係止可能な被係止部を有し、
前記枠体の外周面は、前記第一方向と直交する第二方向に延びる一対の面と、前記第一方向及び前記第二方向の両方と直交する第三方向に延びる一対の面と、を有し、
前記被係止部は、前記第二方向に延びる一対の面のうち一方の面が前記第三方向における内側に凹んだ当接面と、該当接面の中央に設けられ且つ前記第三方向における外側に突出した被係止部位と、前記当接面の前記第二方向における両側に設けられ且つ前記第三方向において内側に近づくほど互いに遠ざかる一対の第一傾斜面と、を含み、
前記係止部は、前記被係止部に着脱可能に係止されるとともに、前記蓋と接続される板状の接続部と、該接続部から前記第三方向において突出し且つ前記第一傾斜面の形状に対応した一対の第二傾斜面を有するとともに内部に空洞を有する基台部と、該基台部の突出側に位置する面に形成され且つ前記第三方向における内側に凹んだ凹部である係止部位と、を有し、
前記係止部位の表面及び前記被係止部位の表面は、いずれも曲面であり、
前記蓋は、前記係止部が前記被係止部に係止した状態で開閉可能である、
ことを特徴とするペンケース。
【請求項２】
前記蓋と前記係止部とは、直線状の境界を挟んで並び、
前記係止部が前記被係止部に係止した状態で、前記蓋は、前記境界を回転中心として回動することにより開閉可能である、請求項１に記載のペンケース。
【請求項３】
前記開口は、前記収納部の前記第一方向における一方側に加えて他方側にも設けられ、
前記蓋は、閉じることで前記一方側に設けられた開口を被覆可能な第一の蓋と、閉じることで前記他方側に設けられた開口を被覆可能な第二の蓋とを含む、請求項２に記載のペンケース。
【手続補正２】
【補正対象書類名】明細書
【補正対象項目名】０００６
【補正方法】変更
【補正の内容】
【０００６】
本発明にかかるペンケースは、第一方向における一方側に設けられた開口及び該開口を規定する枠体を有する収納部と、閉じることで前記開口を被覆可能な蓋、及び、該蓋に接続され且つ前記収納部に係止可能な係止部を有するカバーと、を備え、前記収納部は、前記係止部と係止可能な被係止部を有し、前記枠体の外周面は、前記第一方向と直交する第二方向に延びる一対の面と、前記第一方向及び前記第二方向の両方と直交する第三方向に延びる一対の面と、を有し、前記被係止部は、前記第二方向に延びる一対の面のうち一方の面が前記第三方向における内側に凹んだ当接面と、該当接面の中央に設けられ且つ前記第三方向における外側に突出した被係止部位と、前記当接面の前記第二方向における両側に設けられ且つ前記第三方向において内側に近づくほど互いに遠ざかる一対の第一傾斜面と、を含み、前記係止部は、前記被係止部に着脱可能に係止されるとともに、前記蓋と接続される板状の接続部と、該接続部から前記第三方向において突出し且つ前記第一傾斜面の形状に対応した一対の第二傾斜面を有するとともに内部に空洞を有する基台部と、該基台部の突出側に位置する面に形成され且つ前記第三方向における内側に凹んだ凹部である係止部位と、を有し、前記係止部位の表面及び前記被係止部位の表面は、いずれも曲面であり、前記蓋は、前記係止部が前記被係止部に係止した状態で開閉可能である、ことを特徴とする。
【手続補正３】
【補正対象書類名】明細書
【補正対象項目名】００１０
【補正方法】変更
【補正の内容】
【００１０】
前記ペンケースでは、前記開口は、前記収納部の前記第一方向における一方側に加えて他方側にも設けられ、前記蓋は、閉じることで前記一方側に設けられた開口を被覆可能な第一の蓋と、閉じることで前記他方側に設けられた開口を被覆可能な第二の蓋とを含むことが好ましい。